(57)【特許請求の範囲】
【請求項１】
圧縮機と、凝縮器と、冷蔵用絞り機構と、冷蔵室に対応した冷蔵用蒸発器と、冷凍用絞り機構と、冷凍室に対応した冷凍用蒸発器とを接続して冷媒流路を構成し、
弁機構により冷媒流路を切替えて、冷蔵用絞り機構を介して冷蔵用蒸発器と冷凍用蒸発器へ冷媒を流す冷蔵モードと、冷凍用絞り機構を介して冷凍用蒸発器のみに冷媒を流す冷凍モードとを交互に実現できる交互冷却運転を行なうことができ、
また、冷凍用蒸発器と冷蔵用蒸発器には除霜用ヒータがそれぞれ設けられ、除霜運転がそれぞれできる冷蔵庫において、
冷蔵用蒸発器で冷却された空気を冷蔵室に送風する冷蔵用ファンと、
冷凍用蒸発器で冷却された空気を冷凍室に送風する冷凍用ファンと、
冷凍室の温度を検知する冷凍室センサと、
除霜運転前の冷凍室のプリクール運転を開始する時点を検知するプリクール運転開始検知手段と、
プリクール運転開始検知手段がプリクール運転を開始する時点を検知した時からプリクール運転時間経過後にプリクール運転を終了させて除霜運転を開始する制御手段とを有し、
この制御手段は、
プリクール運転中の冷凍モードを終了する温度を、通常運転における通常冷凍モード終了温度より所定温度低い特別冷凍モード終了温度とし、この特別冷凍モード終了温度を基準に、プリクール運転が終了するまで交互冷却運転を行なう
ことを特徴とする冷蔵庫。
【請求項２】
制御手段は、
特別冷凍モード終了温度を、所定時間毎に段階的に低くして行く
ことを特徴とする請求項１記載の冷蔵庫。
【請求項３】
制御手段は、
特別冷凍モード終了温度を、交互冷却運転が１回行われる毎に段階的に低くして行く
ことを特徴とする請求項１記載の冷蔵庫。
【請求項４】
制御手段は、
プリクール運転時間経過後であっても、冷凍モード中であれば、その冷凍モードが終了した時点でプリクール運転を終了する
ことを特徴とする請求項１記載の冷蔵庫。
【請求項５】
制御手段は、
プリクール運転時間経過後であっても、冷蔵モード中であれば、その冷蔵モードが終了した後、さらに、冷凍モード運転を行なった後にプリクール運転を終了する
ことを特徴とする請求項１記載の冷蔵庫。
【請求項６】
制御手段は、
冷凍用蒸発器のみの除霜運転を行う場合に、その除霜運転中に冷蔵用ファンを運転する
ことを特徴とする請求項１記載の冷蔵庫。
【請求項７】
制御手段は、
除霜運転終了後に冷蔵モードに切替え、少なくとも冷凍用ファンを逆回転で運転する除霜復帰運転を行った後に、通常の交互冷却運転を行う
ことを特徴とする請求項１記載の冷蔵庫。
【請求項８】
制御手段は、
冷凍用ファンの逆回転を、冷凍用蒸発器温度センサが一定温度に下がるまで行う  ことを特徴とする請求項７記載の冷蔵庫。
【請求項９】
制御手段は、
冷凍用ファンの逆転時の回転数を、設定できる最低回転数にする
ことを特徴とする請求項７記載の冷蔵庫。
【請求項１０】
制御手段は、
除霜復帰運転を行った後、交互冷却運転を冷蔵モードから開始する
ことを特徴とする請求項７記載の冷蔵庫。
【請求項１１】
制御手段は、
除霜復帰運転を行った後、冷蔵用ファンと冷凍用ファンを一定時間同時運転して強制冷却運転した後に、通常の交互冷却運転を行う
ことを特徴とする請求項７記載の冷蔵庫。
【請求項１２】
制御手段は、
強制冷却運転中における冷蔵用ファンと冷凍用ファンの回転数を、設定できる最低回転数で運転する
ことを特徴とする請求項１１記載の冷蔵庫。
【発明の詳細な説明】
【０００１】
【発明の属する技術分野】
本発明は、２つの蒸発器を持つ冷蔵庫に関するものである。
【０００２】
【従来の技術】
最近の冷蔵庫においては、冷蔵室と冷凍室をそれぞれ効率よく冷却するために、冷蔵用蒸発器と冷凍用蒸発器を持つものが提案されている。
【０００３】
そして、これら２つの蒸発器を１つの圧縮機から送られてきた冷媒で効率よく冷却するために、冷媒流路の途中に三方弁を配し、この三方弁の切り替えによって冷媒が冷蔵用蒸発器または冷凍用蒸発器に送られるかが決定される。
【０００４】
このような冷蔵庫において、除霜運転を行う場合には、圧縮機の運転積算時間が設定時間に到達した後に、冷凍室または冷蔵室を一定時間連続して冷却し、庫内温度を低くした後（以下、この運転をプリクール運転という）、蒸発器近傍に設けられた除霜ヒータを動作させて除霜を行っていた。
【０００５】
【発明が解決しようとする課題】
しかしながら、上記のような除霜運転には次のような問題点があった。
【０００６】
第１の問題点としては、交互冷却運転で冷凍室を連続して冷却している間及びヒータによる除霜運転を行っている間は、冷蔵室が全く無冷却の状態となり、冷蔵室の庫内温度が上昇する。
【０００７】
第２の問題点としては、除霜運転終了後に、通常の交互冷却運転を行うと、除霜ヒータによって暖められた空気が冷凍室または冷蔵室に流れ込み、庫内の食品に直接当って、食品の温度が上昇するという問題点があった。
【０００８】
そこで本発明は上記問題点に鑑み、除霜ヒータによる除霜運転時の庫内温度の上昇を抑えることができるとともに、除霜運転終了後の食品の温度の上昇を防止することができる冷蔵庫を提供するものである。
【０００９】
【課題を解決するための手段】
本発明の請求項１の冷蔵庫は、圧縮機と、凝縮器と、冷蔵用絞り機構と、冷蔵室に対応した冷蔵用蒸発器と、冷凍用絞り機構と、冷凍室に対応した冷凍用蒸発器とを接続して冷媒流路を構成し、弁機構により冷媒流路を切替えて、冷蔵用絞り機構を介して冷蔵用蒸発器と冷凍用蒸発器へ冷媒を流す冷蔵モードと、冷凍用絞り機構を介して冷凍用蒸発器のみに冷媒を流す冷凍モードとを交互に実現できる交互冷却運転を行なうことができ、また、冷凍用蒸発器と冷蔵用蒸発器には除霜用ヒータがそれぞれ設けられ、除霜運転がそれぞれできる冷蔵庫において、冷蔵用蒸発器で冷却された空気を冷蔵室に送風する冷蔵用ファンと、冷凍用蒸発器で冷却された空気を冷凍室に送風する冷凍用ファンと、冷凍室の温度を検知する冷凍室センサと、除霜運転前の冷凍室のプリクール運転を開始する時点を検知するプリクール運転開始検知手段と、プリクール運転開始検知手段がプリクール運転を開始する時点を検知した時からプリクール運転時間経過後にプリクール運転を終了させて除霜運転を開始する制御手段とを有し、この制御手段は、プリクール運転中の冷凍モードを終了する温度を、通常運転における通常冷凍モード終了温度より所定温度低い特別冷凍モード終了温度とし、この特別冷凍モード終了温度を基準に、プリクール運転が終了するまで交互冷却運転を行なう。
【００１０】
請求項２の冷蔵庫は、請求項１のものにおいて、制御手段は、特別冷凍モード終了温度を、所定時間毎に段階的に低くして行くものである。
【００１１】
請求項３の冷蔵庫は、請求項１のものにおいて、制御手段は、特別冷凍モード終了温度を、交互冷却運転が１回行われる毎に段階的に低くして行くものである。
【００１２】
請求項４の冷蔵庫は、請求項１のものにおいて、制御手段は、プリクール運転時間経過後であっても、冷凍モード中であれば、その冷凍モードが終了した時点でプリクール運転を終了するものである。
【００１３】
請求項５の冷蔵庫は、請求項１のものにおいて、制御手段は、プリクール運転時間経過後であっても、冷蔵モード中であれば、その冷蔵モードが終了した後、さらに、冷凍モード運転を行なった後にプリクール運転を終了する。
【００１４】
請求項６の冷蔵庫は、請求項１のものにおいて、制御手段は、冷凍用蒸発器のみの除霜運転を行う場合に、その除霜運転中に冷蔵用ファンを運転するものである。
【００１５】
請求項７の冷蔵庫は、請求項１のものにおいて、制御手段は、除霜運転終了後に冷蔵モードに切替え、少なくとも冷凍用ファンを逆回転で運転する除霜復帰運転を行った後に、通常の交互冷却運転を行うものである。
【００１６】
請求項８の冷蔵庫は、請求項７のものにおいて、制御手段は、冷凍用ファンの逆回転を、冷凍用蒸発器温度センサが一定温度に下がるまで行うものである。
【００１７】
請求項９の冷蔵庫は、請求項７のものにおいて、制御手段は、冷凍用ファンの逆転時の回転数を、設定できる最低回転数にするものである。
【００１８】
請求項１０の冷蔵庫は、請求項７のものにおいて、制御手段は、除霜復帰運転を行った後、交互冷却運転を冷蔵モードから開始するものである。
【００１９】
請求項１１の冷蔵庫は、請求項７のものにおいて、制御手段は、除霜復帰運転を行った後、冷蔵用ファンと冷凍用ファンを一定時間同時運転して強制冷却運転した後に、通常の交互冷却運転を行うものである。
【００２０】
請求項１２の冷蔵庫は、請求項１１のものにおいて、制御手段は、強制冷却運転中における冷蔵用ファンと冷凍用ファンの回転数を、設定できる最低回転数で運転するものである。
【００２１】
請求項１の冷蔵庫について説明する。
【００２２】
制御手段は、プリクール運転中の冷凍モードを終了する温度を、通常運転における通常冷凍モード終了温度より所定温度低い特別冷凍モード終了温度を基準にして、プリクール運転が終了するまで交互冷却運転を行う。
【００２３】
このような制御を行うのは、冷凍用蒸発器の除霜を行う前に冷凍室だけ庫内温度を低めに冷却しようとすると、冷凍モードに設定しなければならず、この場合には冷蔵室の冷却が行われなくなり、冷蔵室の温度が上昇してしまう。そのため、この冷蔵室の温度上昇を抑えるために、通常行っている冷蔵モードと冷凍モードの交互冷却運転を行いながら、冷凍モードを終了する温度である特別冷凍モード終了温度を、通常の冷凍モード終了温度より所定温度低い状態とすることにより、冷凍室を通常より低い状態に冷却する。
【００２４】
請求項２の冷蔵庫について説明する。
【００２５】
特別冷凍モード終了温度を、一気に低い温度まで下げた場合には、冷蔵庫の冷却能力をいきなり大きくする必要があるため、圧縮機及び冷凍用ファンまたは冷蔵用ファンの回転数が大きくなり、この結果騒音値が増大し、さらに消費電力量が増加してしまう。
【００２６】
そのため、特別冷凍モード終了温度を、一定時間毎に徐々に低く設定して、プリクール運転を終了させる。このようにすることで、一気に冷却能力を上げる必要がない。
【００２７】
請求項３の冷蔵庫について説明する。
【００２８】
請求項３の冷蔵庫においても、請求項２の冷蔵庫と同様に、冷却能力を一気に上げるのを防止するために、交互冷却運転が一回行われる毎に段階的に特別冷凍モード終了温度を低くして、プリクール運転を終了させる。
【００２９】
請求項４の冷蔵庫について説明する。
【００３０】
プリクール運転経過時間経過後であっても、冷凍モードに入った瞬間であれば、冷凍室の庫内温度が低く冷えきっていない状態で除霜ヒータが動作し、庫内温度が上昇する可能性がある。そのため、プリクール運転時間経過後であっても、冷凍モード中であれば、その冷凍モードが終了した時点でプリクール運転を終了させる。これによって、冷凍室の温度が冷え切った状態になる。
【００３１】
請求項５の冷蔵庫について説明する。
【００３２】
請求項５の冷蔵庫も請求項４の冷蔵庫と同様に、プリクール運転時間経過後であっても、その経過時に冷蔵モード中であれば、その冷蔵モードが終了した後、さらに、冷凍モードを行った後にプリクール運転を終了させる。これによって、冷蔵室及び冷凍室が冷えきった状態でヒータ除霜が行われる。
【００３３】
請求項６の冷蔵庫について説明する。
【００３４】
請求項６の冷蔵庫であると、冷凍用蒸発器のみの除霜運転を行う場合には、冷蔵用ファンを運転させて、冷蔵用蒸発器の除霜も行う。冷蔵用蒸発器はヒータ除霜は行われないが、この冷蔵用ファンによる空気の流れによって、その除霜が行われるのみならず、庫内温度分布の改善、庫内加湿が可能となり、食品の長期鮮度保存が可能となる。
【００３５】
請求項７の冷蔵庫について説明する。
【００３６】
除霜運転終了後は、除霜ヒータの熱により蒸発器周辺の空気は高温になっている。そのため、除霜運転終了後すぐに冷凍用ファンを運転すると、その暖気を直接庫内の食品に当ててしまい、食品温度が上昇する。これを防止するために、除霜運転終了後、冷凍用ファンを逆回転して本来のダクトの吸込口から一度暖気を庫内に戻し、その後冷えた冷凍用蒸発器をとおして空気を吹き出させるため、食品の温度上昇を抑えることができる。
【００３７】
請求項８の冷蔵庫について説明する。
【００３８】
除霜復帰運転中の冷凍用ファンの逆回転を、冷凍用蒸発器温度センサが一定温度に下がるまで行う。これにより、冷凍用蒸発器が十分冷えてから食品に冷却空気を当てることで、食品温度上昇を抑えることができる。
【００３９】
請求項９の冷蔵庫について説明する。
【００４０】
冷凍用ファンの逆回転時は風量を大きくする必要はなく、騒音値や消費電力量を押さえるために、設定できる範囲内の最低回転数で行う。
【００４１】
請求項１０の冷蔵庫について説明する。
【００４２】
プリクール運転から除霜運転を経る間は、冷蔵室内の冷却が行われず、その結果冷蔵室の庫内温度は上昇する。そのため、除霜復帰運転を行った後は、まず冷蔵モードにより冷蔵室の冷却を行うようにして、交互冷却運転を開始する。
【００４３】
請求項１１の冷蔵庫について説明する。
【００４４】
除霜運転及び除霜復帰運転を行っていても、冷蔵室及び冷凍室共に一定時間無冷却なため、庫内温度が上昇している。そこで、冷凍用ファンと冷蔵用ファンを同時に運転させて、冷却された冷凍用蒸発器と冷蔵用蒸発器からの空気を冷蔵室及び冷凍室に送り込んで強制冷却運転して両部屋を冷却する。
【００４５】
請求項１２の冷蔵庫について説明する。
【００４６】
冷凍用ファンと冷蔵用ファンの同時運転して強制冷却運転する場合に、これら回転数が大きいと熱交換量が大きくなり、蒸発温度が高くなる。蒸発温度が高い状態で冷凍用ファンを運転すると逆に庫内を暖めてしまうことになるため、蒸発温度が高くならないように両ファンの回転数を極力小さくする。
【００４７】
【発明の実施の形態】
以下、本発明の一実施例の冷蔵庫１０について図面に基づいて説明する。
【００４８】
図１は冷蔵庫１０の簡略した縦断面図であり、電気系統の説明も兼ねた図である。また、図２は冷蔵庫１０の冷凍サイクルの説明図である。
【００４９】
まず、図１に基づいて説明する。
【００５０】
冷蔵庫１０のキャビネット１２には、上段から冷蔵室１４、野菜室１６、冷凍室１８が設けられている。なお、この冷凍室１８には、不図示の製氷装置が設けられている。
【００５１】
冷凍室１８の背面底部には、圧縮機２０が配される機械室２２が設けられている。また、冷凍室１８の後方には、冷凍室用蒸発器（以下、Ｆエバという）２４が配され、Ｆエバ２４の上方には、Ｆエバ２４で発生した冷気を冷凍室１８に送風する冷凍室用ファン（以下、Ｆファンという）２６が設けられている。Ｆエバ２４の下方には、Ｆエバ２４の除霜を行う場合の除霜ヒータ（以下、Ｆ除霜ヒータという）２８が設けられている。Ｆエバ２４の上部近傍には、Ｆエバ２４の温度を検知するためのＦエバセンサ３０が設けられている。
【００５２】
冷凍室１８内部には、庫内温度を測定するための冷凍室用温度センサ（以下、Ｆセンサという）３２が設けられている。
【００５３】
野菜室１６の背面には、冷蔵室用蒸発器（以下、Ｒエバという）が設けられ、このＲエバ３４の上方には冷蔵室用ファン（以下、Ｒファンという）３６が設けられ、Ｒエバ３４の温度を検知するＲエバセンサ３８が設けられている。、Ｒエバ３４の下方には、Ｒエバ３４の除霜を行うための除霜ヒータ（以下、Ｒ除霜ヒータという）４０が設けられている。
【００５４】
冷蔵室１４の内部には、庫内温度を測定するための冷蔵室用温度センサ（以下、Ｒセンサという）４２が設けられている。
【００５５】
そして、これらＦファン２６、Ｆ除霜ヒータ２８、Ｆエバセンサ３０、Ｆセンサ３２、Ｒファン３６、Ｒエバセンサ３８、Ｒ除霜ヒータ４０及びＲセンサ４２は、マイクロコンピュータよりなる制御装置４４に接続されている。この制御装置４０は１枚の基板よりなり、キャビネット１２の背面上部に設けられている。また、制御装置４４には、圧縮機２０のモータも接続されている。
【００５６】
次に、図１に基づいて冷気の流れを説明する。
【００５７】
Ｆエバ２４によって冷却された冷気は、Ｆファン２６によって送風され冷凍室１８を循環する。また、Ｒエバ３４によって冷却された冷気は、Ｒファン３６によって野菜室１６と冷蔵室１４に送風され循環する。
【００５８】
次に、図２に基づいて、これら冷凍サイクルの構造について説明する。
【００５９】
圧縮機２０には凝縮器４６が接続され、凝縮器４６には三方弁６８が接続されている。三方弁６８から二股に分かれた冷媒流路の一方は、冷蔵室用キャピラリチューブ（以下、Ｒキャピラリチューブという）５０を経てＲエバ３４に接続されている。また、三方弁６８から分かれた他方の冷媒流路は冷凍室用キャピラリチューブ（以下、Ｆキャピラリチューブという）５２に接続されている。そして、Ｆキャピラリチューブ５２とＲエバ３４の冷媒流路は、一つになってＦエバ２４に接続され、さらに圧縮機２０に接続されている。
【００６０】
上記の冷蔵庫１０の動作状態について説明する。
【００６１】
１．交互冷却運転
(1) 冷蔵モード
三方弁６８を切り替えて、冷媒が、Ｒエバ３４とＦエバ２４に流れるようにする。そして、Ｒファン３６とＦファン２６をそれぞれ運転させると、冷却された空気は、冷蔵室１４、野菜室１６、冷凍室１８に送り込まれ、これらの部屋が冷却される。以下、この状態を冷蔵モードという。
【００６２】
(2) 冷凍モード
三方弁６８を切り替えて、冷媒がＦキャピラリチューブ５２とＦエバ２４のみに流れるようにする。そして、Ｆファン２６のみを運転させる。この状態では、Ｆエバ２４によって冷却された冷気はＦファン２６によって冷凍室１８のみに送り込まれ、その庫内温度が低下する。そして、冷蔵室１４においては冷気は送り込まれない。以下、この状態を冷凍モードという。
【００６３】
(3) 交互冷却運転
そして、冷凍モードと冷蔵モードを交互に行うことを交互冷却運転運転という。
【００６４】
２．除霜運転
この冷蔵庫１０において、除霜運転を行う場合には、図２に示す冷凍サイクルの構造から、Ｆエバ２４とＲエバ３４を同時に除霜ヒータ２８，４０で除霜する場合と、Ｆエバ２４のみをＦ除霜ヒータ２８で除霜する場合が考えられる。そして、本実施例の冷蔵庫１０の場合には、Ｆエバ２４の除霜運転を冷凍モードの積算時間が一定時間（例えば１０時間）に到達した場合に行い、そのＦエバ２４の除霜運転の３回に１度の割合で、Ｆエバ２４とＲエバ３４の除霜運転を行うものとする。
【００６５】
３．プリクール運転
ところで、どちらの除霜運転を行うにしても、除霜運転を行う前には冷蔵室１４、野菜室１６または冷凍室１８の庫内温度を通常の温度より下げておく必要がある。このように温度を下げておかないと、除霜運転中には冷気が流入しないため庫内温度が上昇するからである。そのため、除霜運転を行う前には各部屋を強制的に冷却するプリクール運転が必要となる。
【００６６】
４．制御状態
上記で説明した通常の交互冷却運転、プリクール運転及び除霜運転の制御状態を図３のフローチャート及び図４のタイムチャートに基づいて説明する。
【００６７】
図３のフローチャートは、Ｆエバ２４のみの除霜運転を行う場合であるが、Ｆエバ２４とＲエバと３４を同時に除霜運転する場合もこれと同様の制御が行われる。
【００６８】
まず、フローチャートの説明をする前に、制御装置４４が有している２つのタイマーＡとタイマーＢについて説明する。
【００６９】
タイマーＡは前回の除霜運転終了時からのＦモードの積算時間を計測するものであり、タイマーＢはプリクール運転開始時からの３０分毎のＦモード積算時間を計測するものである。
【００７０】
以下、図３のフローチャートに基づいて説明していく。
【００７１】
ステップ１において、タイマーＡをリセットし計測をスタートさせる。そしてステップ２に進む。
【００７２】
ステップ２において、上記で説明した通常の交互冷却運転を行う。この場合に、冷凍モードが終了する温度は、Ｆセンサ３２の検知温度によって決定され、例えばその温度は−１２℃となっている。以下、この通常の冷凍モードの終了温度を、通常冷凍モード終了温度という。そして、ステップ３に進む。
【００７３】
ステップ３において、タイマーＡが所定時間（例えば８時間３０分）を計測すると、ステップ４に進み、そうでなければ通常の交互冷却運転を続ける。
【００７４】
ステップ４において、プリクール運転が開始される。タイマーＢをリセットし、計測を開始させる。また、Ｆセンサ３２における冷凍モードの終了温度を、通常冷凍モード終了温度より１℃低い、特別冷凍モード終了温度に深温シフトさせる。そして、ステップ５に進む。
【００７５】
ステップ５において、特別冷凍モード終了温度を基準にして、交互冷却運転を行いステップ６に進む。
【００７６】
ステップ６において、タイマーＢが３０分を計測すれば、ステップ７に進み、そうでなければステップ５に戻る。
【００７７】
ステップ７において、タイマーＡが１０時間を計測していればステップ８に進み、そうでなければプリクール運転を続けるためステップ４に戻る。ステップ４に戻ると、再びタイマーＢがリセットされ計測を開始する。また、特別冷凍モード終了温度もさらに１℃低い温度に深温シフトし、同様に交互冷却運転が続けられる。すなわち、このステップ４〜ステップ７の処理においては、タイマーＢの計測により３０分毎に特別冷凍モード終了温度が１℃ずつ低くなっていき、交互冷却運転が行われる。これによって、冷凍室１８の庫内温度は通常の冷凍室１８の温度よりも低くなり、プリクール運転が行われたと同じ状態になる。
【００７８】
ステップ８においては、プリクール運転が終了したため、Ｆ除霜ヒータ２８を動作させて除霜運転を開始する。除霜運転の終了は、Ｆエバセンサ３０が所定の温度に到達したときに終了する。また、Ｆエバ２４のみ除霜運転を行っているため、Ｒエバ３４は除霜が行われていない。そのため、Ｒファン３６を運転させて、このＲファン３６によるＲエバ３４の除霜を行う。このことにより、Ｒエバ３４の除霜のみならず、庫内温度分布の改善、庫内加湿が可能となり、食品の長期鮮度保持が可能となる。なお、Ｒエバ３４もヒータ除霜を行う場合にはこの制御を行わない。そして、ステップ９に進む。
【００７９】
ステップ９において、Ｒモードに切り替えられステップ１０に進む。
【００８０】
ステップ１０において、Ｆファン２６を逆回転させて除霜復帰運転を行う。この除霜復帰運転は、除霜運転終了直後には、その熱によりＦエバ２４周辺の空気は高温になっている。そのため、除霜運転終了後すぐにＦファン２６を正回転させると、その暖気を直接冷凍室１８内の食品に当ててしまい、食品の温度が上昇してしまう。これを防ぐために、Ｆファン２６を逆回転させ、本来のダクトの吸込口から一度暖気を庫内に戻し、その後冷えたＦエバ２４を通して空気を吹き出させるため、食品の温度上昇を抑えることができる。
【００８１】
ステップ１１において、Ｆエバ２４が、十分冷えてｄ℃（例えば、−２０℃）の温度になった場合には、上記の除霜復帰運転を終了させる。なお、この除霜復帰運転の終了のタイミングとしては、上記のようにＦエバ２４がｄ℃に到達したときに終了してもよく、また、一定時間Ｆファン２６を逆回転させた後に終了させてもよい。そして、この場合のＦファン２６の逆回転時の風量は大きくする必要がないため、騒音値や消費電力量を抑えるためにも、設定できる範囲内の最低回転数で行う。そして、ステップ１２に進む。
【００８２】
ステップ１２においては、除霜復帰運転が終了した状態であっても、冷蔵室１４、野菜室１６及び冷凍室１８は一定時間無冷却なため、庫内温度が上昇している。そこで、除霜復帰運転が終了した場合には、圧縮機２０の回転数を最大にし、かつ、Ｒファン３６とＦファン２６の回転を正回転で運転させて強制冷却運転を行い、これら部屋の冷却を同時に行う。これにより、これら部屋の温度が低くなる。なお、Ｒファン３６とＦファン２６を運転する場合に、回転数が大きいと、熱交換量が大きくなり蒸発温度が高くなる。蒸発温度が高い状態でＦファン２６を運転すると、逆に庫内を暖めてしまうことになるため、蒸発温度が高くならないようにＦファン２６とＲファン３６の回転数を極力小さいように設定範囲内の最低の回転数で行う。そして、ステップ１に戻る。なお、ステップ２において交互冷却運転を行う場合に、プリクール運転の最後から除霜運転中は冷蔵室１４、野菜室１６の冷却が全く行われていないため、これら庫内の温度が上昇している。そのため、交互冷却運転を行う場合には必ず冷蔵モードにして、冷蔵室１４、野菜室１６の冷却を行う。
【００８３】
５．変更例
上記のプリクール運転及び除霜運転の変更例について説明する。
【００８４】
(1) 第１の変更例
上記ステップ７においては、タイマーＡが１０時間を計測した場合には、プリクール運転を必ず中止させ、除霜運転を行うようになっていた。
【００８５】
しかしながら、このようにプリクール運転時間が経過した後、直後に除霜運転に入ると、冷凍室１８の庫内温度が冷えきっていない状態の場合がある。そのため、プリクール運転時間が終了しても、冷凍モードの途中の状態であれば、冷凍モードが終了するまでプリクール運転を終了させるのを延長し、その後除霜運転を開始してもよい。
【００８６】
(2) 第２の変更例
同様に、冷蔵モードの途中でプリクール運転時間が終了した場合には、冷蔵モードが終了し、さらに冷凍モードが終了してから除霜運転を開始してもよい。
【００８７】
(3) 第３の変更例
さらに、上記実施例では特別冷凍モード終了温度を所定時間毎に低くしていたが、これに代えて、交互冷却運転が一回行われる度に特別冷凍モード終了温度を低くしていってもよい。これは、上記のように所定時間毎に温度を低くしていくと、冷凍モードの途中でその設定温度が低くなるため、圧縮機２０やＦファン２６の回転数が繁雑に変わることとなり、その切り替えによる音が発生する場合がある。そのため、この音を発生させないために、各サイクルの切り替え毎に行うようにしたものである。
【００８８】
【発明の効果】
以上により本発明の冷蔵庫であると、交互冷却運転を行いながら、冷凍モードにおいてその終了温度を順番に低くしていくため、冷凍室だけ強制冷却するようなことがなく、冷凍室と冷蔵室を交互に冷却する状態となるため、冷蔵室の温度が上昇することがない。また、通常と同様に冷凍室をプリクール運転で通常より低い温度に冷却できる。
【図面の簡単な説明】
【図１】本実施例の冷蔵庫の説明図である。
【図２】冷凍サイクルの説明図である。
【図３】冷蔵庫の冷却状態のフローチャートである。
【図４】同じくタイミングチャートである。
【符号の説明】
１０  冷蔵庫
２０  圧縮機
２４  Ｆエバ
３０  Ｆエバセンサ
３４  Ｒエバ
３８  Ｒエバセンサ
４４  制御装置
６８  三方弁
【図１】
0003636602.tif 000002
【図２】
0003636602.tif 000003
【図３】
0003636602.tif 000004
【図４】
0003636602.tif 000005